(57)【要約】【課題】E-UTRANシステム及びそのタスク追跡方法を提供する。【解決手段】該方法は、同じユーザを追跡するための複数のタスクのパラメータを載せる一つのメッセージを作成することと、発展型基地局eNodeBが前記パラメータに基いて前記複数のタスクを作成して前記ユーザを追跡するように、前記メッセージを前記eNodeBに送信することとを含む。本発明は、E-UTRANシステムを更に提供する。該システムは、同じユーザを追跡するための複数のタスクのパラメータを載せる一つのメッセージを作成する作成ブロックと、前記メッセージを発展型基地局eNodeBに送信する送信ブロックと、前記ユーザを追跡するように前記パラメータに基いて前記複数のタスクを作成する前記eNodeBとを含む。本発明は、複数のタスクが同時に一つの指定ユーザを追跡することを保証する。
2013531441.tif 000002
【特許請求の範囲】
【請求項１】
同じユーザを追跡するための複数のタスクのパラメータを載せる一つのメッセージを作成することと、
発展型基地局eNodeBが前記パラメータに基いて前記複数のタスクを作成して前記ユーザを追跡するように、前記メッセージを前記eNodeBに送信することと、を含むことを特徴とする発展型ユニバーサル移動通信無線アクセスネットワークE-UTRANシステムのタスク追跡方法。
【請求項２】
前記メッセージに同じユーザを追跡するための複数のタスクのパラメータをのせることは、前記メッセージにトレースアクティベーションリストtrace  activation  list  インフォメーションエレメントを設置することを含み、中には、trace  activation  list  インフォメーションエレメントは、
個数を指示するtrace  activation  インフォメーションエレメント個数フィールドと、
前記個数のtrace  activation  インフォメーションエレメントと、を含み、各trace  activation  インフォメーションエレメントが、前記複数のタスクにおける一つのタスクのパラメータを載せることを特徴とする請求項１に記載の方法。
【請求項３】
前記eNodeBが前記メッセージを受信することと、
前記eNodeBが前記メッセージをデコーディングして前記trace  activation  インフォメーションエレメント個数フィールドを獲得し、また前記trace  activation  インフォメーションエレメント個数フィールドから前記複数のtrace  activation  インフォメーションエレメントの個数を確定することと、
前記eNodeBが前記メッセージをデコーディングして前記個数の前記複数のtrace  activation  インフォメーションエレメントを獲得することと、
前記eNodeBが、それぞれ、前記複数のtrace  activation  インフォメーションエレメントにおけるパラメータに基いて前記複数のタスクを作成することと、
前記ユーザを追跡するように前記eNodeBが前記複数のタスクを実行することと、を更に含むことを特徴とする請求項２に記載の方法。
【請求項４】
前記メッセージに同じユーザを追跡するための複数のタスクのパラメータを携帯することは、前記メッセージに複数のtrace  activation  インフォメーションエレメントを設置することを含み、中には、各trace  activation  インフォメーションエレメントは、
前記複数のタスクにおける一つのタスクのパラメータと、
最後の追跡インフォメーションエレメントであるか否かのIsLastRecordフィールドと、を含み、
該IsLastRecordフィールドが、前記IsLastRecordフィールドを載せているtrace  activation  インフォメーションエレメントが前記メッセージにおける最後のtrace  activation  インフォメーションエレメントであるか否かを指示することを特徴とする請求項１に記載の方法。
【請求項５】
前記eNodeBが前記メッセージを受信することと、
前記eNodeBが前記メッセージをデコーディングして前記複数のtrace  activation  インフォメーションエレメントを獲得することと、
前記eNodeBが、それぞれ、前記複数のtrace  activation  インフォメーションエレメントにおけるパラメータに基いて前記複数のタスクを作成することと、
前記ユーザを追跡するように前記eNodeBが前記複数のタスクを実行するステップと、を更に含み、中には、
前記eNodeBが前記メッセージをデコーディングして前記複数のtrace  activation  インフォメーションエレメントを獲得することは、
前記eNodeBが前記メッセージをデコーディングして現在のtrace  activation  インフォメーションエレメントを獲得する時、前記現在のtrace  activation  インフォメーションエレメントにおけるIsLastRecordフィールドに基いて前記現在のtrace  activation  インフォメーションエレメントが前記メッセージにおける最後のtrace  activation  インフォメーションエレメントであるか否かを判断し、
もし最後のtrace  activation  インフォメーションエレメントでないと判断すると、前記メッセージをデコーディングして最後のtrace  activation  インフォメーションエレメントを獲得するまで、前記メッセージをデコーディングし続けて次のtrace  activation  インフォメーションエレメントを獲得し、最後のtrace  activation  インフォメーションエレメントであるか否かを判断し続けることを含むことを特徴とする請求項４に記載の方法。
【請求項６】
MMEが前記メッセージをS1インタフェースの一番目のダウンリンクメッセージとして前記eNodeBに送信し、或は、eNodeB間のハンドオーバーが発生する時、前記メッセージをハンドオーバーメッセージとして前記eNodeBに送信することを特徴とする請求項１に記載の方法。
【請求項７】
同じユーザを追跡するための複数のタスクのパラメータを載せる一つのメッセージを作成する作成ブロックと、
前記メッセージを発展型基地局eNodeBに送信する送信ブロックと、
前記ユーザを追跡するように前記パラメータに基いて前記複数のタスクを作成する前記eNodeBと、を含むことを特徴とする発展型ユニバーサル移動通信無線アクセスネットワークE-UTRANシステム。
【請求項８】
前記作成ブロックは、前記メッセージにトレースアクティベーションリストtrace  activation  list  インフォメーションエレメントを設置することに用いられ、中には、trace  activation  list  インフォメーションエレメントは、
個数を指示するtrace  activation  インフォメーションエレメント個数フィールドと、
前記個数の複数のtrace  activation  インフォメーションエレメントと、を含み、各trace  activation  インフォメーションエレメントは、前記複数のタスクにおける一つのタスクのパラメータを載せることを特徴とする請求項７に記載のシステム。
【請求項９】
前記eNodeBは、
前記メッセージを受信する受信ブロックと、
前記メッセージをデコーディングして前記trace  activation  インフォメーションエレメント個数フィールドを獲得し、また前記trace  activation  インフォメーションエレメント個数フィールドから前記複数のtrace  activation  インフォメーションエレメントの個数を確定する第１のデコーディングブロックと、
前記メッセージをデコーディングして前記個数の前記複数のtrace  activation  インフォメーションエレメントを獲得する第２のデコーディングブロックと、
それぞれ、前記複数のtrace  activation  インフォメーションエレメントにおけるパラメータに基いて前記複数のタスクを作成するタスク作成ブロックと、
前記ユーザを追跡するように前記複数のタスクを実行する実行ブロックと、を含むことを特徴とする請求項８に記載のシステム。
【請求項１０】
前記作成ブロックが、前記メッセージに複数のtrace  activation  インフォメーションエレメントを設置することに用いられ、中には、各trace  activation  インフォメーションエレメントは、
前記複数のタスクにおける一つのタスクのパラメータと、
最後の追跡インフォメーションエレメントであるか否かのIsLastRecordフィールドと、を含み、
該IsLastRecordフィールドは、前記IsLastRecordフィールドを載せているtrace  activation  インフォメーションエレメントが前記メッセージにおける最後のtrace  activation  インフォメーションエレメントであるか否かを指示することを特徴とする請求項７に記載のシステム。
【請求項１１】
前記eNodeBは、
前記メッセージを受信する受信ブロックと、
前記メッセージをデコーディングして前記複数のtrace  activation  インフォメーションエレメントを獲得するデコーディングブロックと、
それぞれ、前記複数のtrace  activation  インフォメーションエレメントにおけるパラメータに基いて前記複数のタスクを作成するタスク作成ブロックと、
前記ユーザを追跡するように前記複数のタスクを実行する実行ブロックと、を含み、
中には、前記メッセージをデコーディングして現在のtrace  activation  インフォメーションエレメントを獲得する時、前記現在のtrace  activation  インフォメーションエレメントにおけるIsLastRecordフィールドに基いて前記現在のtrace  activation  インフォメーションエレメントが前記メッセージにおける最後のtrace  activation  インフォメーションエレメントであるか否かを判断し、もし最後のtrace  activation  インフォメーションエレメントでないと判断すると、前記メッセージをデコーディングして最後のtrace  activation  インフォメーションエレメントを獲得するまで、前記メッセージをデコーディングし続けて次のtrace  activation  インフォメーションエレメントを獲得し、最後のtrace  activation  インフォメーションエレメントであるか否かを判断し続けることを特徴とする請求項1０に記載のシステム。
【請求項１２】
前記作成ブロックと前記送信ブロックは一つのMMEに存在し、前記MMEは前記メッセージをS１インタフェースの一番目のダウンリンクメッセージとして前記eNodeBに送信し、又は、前記作成ブロックと前記送信ブロックはもう一つのeNodeBに存在し、eNodeB間のハンドオーバーが発生する時、前記もう一つのeNodeBによりX２インタフェースを介して前記メッセージを前記eNodeBに送信することを特徴とする請求項７に記載のシステム。
【発明の詳細な説明】
【技術分野】
【０００１】
本発明は、通信分野に関し、具体的に、E-UTRAN（Evolved  UMTS  Radio  Access  Network、発展型UMTS（Universal  Mobile  Telecommunication  System、ユニバーサル移動通信システム）無線アクセスネットワーク）システム及びそのタスク追跡（tracking）方法に関する。
【背景技術】
【０００２】
移動通信ネットワークサービスと技術の複雑化、及び市場競争の激化に伴い、ネットワークのメンテナンス作業は徐々に元のネットワーク装置向けからサービス向け、顧客の感知を重要視する方向に変わってきた。商用ネットワークアプリケーションの技術から見ると、追跡機能はこのような管理の必要に適応する重要技術である。
【０００３】
移動通信ネットワークにおける追跡ツールは、ネットワーク管理システムの補助ツールであり、故障位置の確定と日常のオペレーションメンテナンスにおいて、重要な役割を果たしており、現場を記録し、問題の位置を確定する機能を持っている。メンテナンス担当者がリアルタイムな呼び出し過程を便利的に観察できるようになり、フォアグラウンド開発者が故障の位置を確定し、フォアグラウンドプログラムをデバッグし易くなる。
【０００４】
現在、LTE（Long  Term   Evolution、ロングタームエボリュ−ション）は、３６．４１３と３６．４２３で追跡のプロセスに対して説明し、S１  AP（S1  Application  Protocol、S１アプリケーションプロトコル）でMME（Mobile  Management  Entity、移動管理エンティティ）とeNodeB（Evolved  NodeB、発展型基地局）の間のトラッキングインタラクションプロセスに対して説明し、X２  AP（X２  Application  Protocol、X2アプリケーションプロトコル）でeNodeBの間をハンドオーバーする時のトラッキングインタラクションプロセスに対して説明した。
【０００５】
中には、ネットワークエレメントの間において、trace  activation（トレースアクティベーション）インフォメーションエレメントを介して追跡タスクを送信する。Trace  activation  インフォメーションエレメントのプロトコルにおける説明は、以下のとおりである。
【０００６】
表1
2013531441.tif 000003
2013531441.tif 000004
【０００７】
中には、E-UTRAN  Trace  IDは追跡のタスク番号を指し、E-UTRAN  Trace  IDは総計８つのバイトであり、6バイトのTrace  Referenceプラス2バイトのTrace  Recording  Session  Referenceに等しい。中には、Trace  Referenceは追跡参照号であり、Trace  Recording  Session  Referenceは一つの追跡タスクでの呼び出しの異なる参照号番号を指す。
【０００８】
但し、発明者は、Trace  activationの結構から以下のことを発見した。従来、trace  activation  インフォメーションエレメントを含むメッセージは、一つのみの追跡タスクを載せられるが、二つ或は二つ以上の追跡タスクが同時に一つのユーザを追跡する必要がある場合、従来のプロトコルは支援できない。これで、複数のタスクが同時に一つの指定ユーザに対して追跡することを実現できなくなる。但し、例えば、同時に二つ或は複数の追跡ツールをオンにして同時に一つの指定ユーザを追跡する等のような、複数のタスクが同時に一つの指定ユーザを追跡する場合は多い。同時に、もう一つの問題がある。即ち、ユーザがX2ハンドオーバーする時、trace  activationの制限が原因で、複数のタスクがターゲットセルにもたらされないことにより、ターゲットセルが追跡タスクを作成することができなくなって、追跡異常が発生する。
【発明の概要】
【発明が解決しようとする課題】
【０００９】
E-UTRANシステム及びそのタスク追跡方法を提供して、少なくとも複数のタスクが同時に一つの指定ユーザを追跡することができない既存技術における問題を解決することをその主な目的とする。
【課題を解決するための手段】
【００１０】
本発明の一方面によると、E-UTRANシステムのタスク追跡方法を提供する。該方法は、同じユーザを追跡するための複数のタスクのパラメータを載せる一つのメッセージを作成することと、eNodeBがパラメータに基いて複数のタスクを作成してユーザを追跡するように、メッセージをeNodeBに送信することとを含む。
【００１１】
本発明の他の方面によると、E-UTRANシステムを提供する。該システムは同じユーザを追跡するための複数のタスクのパラメータを載せる一つのメッセージを作成する作成ブロックと、メッセージをeNodeBに送信する送信ブロックと、ユーザを追跡するようにパラメータに基いて複数のタスクを作成するeNodeBとを含む。
【発明の効果】
【００１２】
本発明のE-UTRANシステム及びそのタスク追跡方法は一つのメッセージに同じユーザを追跡するための複数のタスクのパラメータを載せる。よって、既存技術における複数のタスクが同時に一つの指定ユーザを追跡することができない問題を解決でき、更に複数のタスクが同時に一つの指定ユーザを追跡することを保証する。
【図面の簡単な説明】
【００１３】
ここで説明する図面は本発明を理解させるためのもので、本発明の一部を構成し、本発明における実施例と共に本発明を解釈し、本発明を不当に限定するのではない。
【図１】は、本発明の実施例に係わるE-UTRANシステムのタスク追跡方法を示すフローチャートである。
【図２】は、本発明の実施例に係わるE-UTRANシステムのブロック図である。
【発明の実施の形態】
【００１４】
以下、図面を参照しながら実施例を結合して本発明を詳しく説明する。ここで、互いに衝突しないかぎり、本明細書における実施例及び実施例に記載の特徴を互いに結合することができる。
【００１５】
移動通信ネットワークにおける追跡ツールは、ネットワーク管理システムの補助ツールであり、故障位置の確定と日常のオペレーションメンテナンスにおいて重要な役割を果たしており、現場を記録し、問題の位置を確定する機能を持っている。メンテナンス担当者がリアルタイムな呼び出し過程を便利に観察できるようになり、フォアグラウンド開発者が故障の位置を確定し、フォアグラウンドプログラムをデバッグし易くなる。
【００１６】
図１は、本発明の実施例に係わるE-UTRANシステムのタスク追跡方法を示すフローチャートであり、以下のようなことを含む。
【００１７】
ステップS10：一つのメッセージを作成し、そのメッセージに同じユーザを追跡するための複数のタスクのパラメータが載せられる。
【００１８】
ステップS20：eNodeBがパラメータに基いて複数のタスクを作成してユーザを追跡するように、メッセージをeNodeBに送信する。
【００１９】
trace  activation  インフォメーションエレメントを含む既存技術のメッセージは、一つのみの追跡タスクを載せられるが、二つ或は二つ以上の追跡タスクが同時に一つのユーザを追跡する必要がある場合、従来のプロトコルは支援できない。但し、本実施例におけるタスク追跡方法により、一つのメッセージに同じユーザを追跡するための複数のタスクのパラメータが載せられる。よって、複数のタスクが同時に一つの指定ユーザを追跡することができないという既存技術における問題を解決でき、更に複数のタスクが同時に一つの指定ユーザを追跡することを保証する。
【００２０】
好ましくは、ステップS10が、メッセージにtrace  activation  list  インフォメーションエレメントを設置することを含み、中には、trace  activation  list  インフォメーションエレメントは、個数Nを指示するtrace  activation  インフォメーションエレメント個数フィールドと、N個のtrace  activation  インフォメーションエレメントとを含み、各trace  activation  インフォメーションエレメントは、複数のタスクにおける一つのタスクのパラメータを載せる。新しいインフォメーションエレメントtrace  activation  listを増やし、trace  activation  list  インフォメーションエレメントは、trace  activation  インフォメーションエレメントの数と、複数の具体的なtrace  activation  インフォメーションエレメントとを含み、以下の表に示すとおりである。
【００２１】
表2
2013531441.tif 000005
【００２２】
該trace  activation  list  インフォメーションエレメントは、構成が簡単であり、容易に実現できる。
【００２３】
eNodeBが該trace  activation  list  インフォメーションエレメントを利用して、デコーディングしてタスクを作成する過程は、eNodeBがメッセージを受信することと、eNodeBがメッセージをデコーディングしてtrace  activation  インフォメーションエレメント個数フィールドを獲得し、trace  activation  インフォメーションエレメント個数フィールドから複数のtrace  activation  インフォメーションエレメントの個数を確定することと、eNodeBがメッセージをデコーディングして前記個数の複数のtrace  activation  インフォメーションエレメントを獲得することと、eNodeBがそれぞれ複数のtrace  activation  インフォメーションエレメントにおけるパラメータに基いて複数のタスクを作成することと、ユーザを追跡するようにeNodeBが複数のタスクを実行することとを含むことが好ましい。本実施例は既存のeNodeBに対する変更が小さくて容易に実現できる。複数の追跡タスクが同時に一つの指定ユーザを追跡する場合に、本実施例は、LTE既存のメッセージインタラクションプロセスによって複数のシグナル追跡タスクを同時に処理することができる。
【００２４】
例えば、同じ指定ユーザを追跡する複数の追跡タスクが開始した後、MMEは、S1インタフェースの一番目のダウンリンクメッセージを介してtrace  activation  list  インフォメーションエレメントを載せて、複数の追跡タスクのパラメータをeNodeBに提供する。eNodeBは、メッセージに対してデコーディングする時、trace  activation  list  インフォメーションエレメントに載せられているtrace activation numberに基いて相応なtrace  activation  インフォメーションエレメントをデコーディングして、相応な追跡タスクを作成して追跡を行う。
【００２５】
好ましくは、ステップS10が、メッセージに複数のtrace  activation  インフォメーションエレメントを設置することを含み、中には、各trace  activation  インフォメーションエレメントは、複数のタスクにおける一つのタスクのパラメータと、IsLastRecord（最後の追跡インフォメーションエレメントであるか否か）フィールドとを含み、IsLastRecordフィールドが、IsLastRecordフィールドを載せているtrace  activation  インフォメーションエレメントがメッセージにおける最後のtrace  activation  インフォメーションエレメントであるか否かを指示するためのものである。本実施例において、trace  activation  インフォメーションエレメントの後にtrace  activation  インフォメーションエレメントが存在するか否かを示すように、該trace  activation  インフォメーションエレメントの末尾に一つのフィールドを追加する。以下の表に示すとおりである。
【００２６】
表3
2013531441.tif 000006
【００２７】
該trace  activation  インフォメーションエレメントは、構成が簡単であり、容易に実現できる。
【００２８】
eNodeBが該trace  activation  インフォメーションエレメントを利用して、デコーディングしてタスクを作成する過程は、eNodeBがメッセージを受信することと、eNodeBがメッセージをデコーディングして複数のtrace  activation  インフォメーションエレメントを獲得することと、eNodeBがそれぞれ複数のtrace  activation  インフォメーションエレメントにおけるパラメータに基いて複数のタスクを作成することと、ユーザを追跡するようにeNodeBが複数のタスクを実行することとを含み、中には、eNodeBがメッセージをデコーディングして複数のtrace  activation  インフォメーションエレメントを獲得することは、eNodeBがメッセージをデコーディングして現在のtrace  activation  インフォメーションエレメントを獲得する時、現在のtrace  activation  インフォメーションエレメントにおけるIsLastRecordフィールドに基いて現在のtrace  activation  インフォメーションエレメントがメッセージにおける最後のtrace  activation  インフォメーションエレメントであるか否かを判断し、もし最後のtrace  activation  インフォメーションエレメントでないと判断すると、メッセージをデコーディングして最後のtrace  activation  インフォメーションエレメントを獲得するまで、メッセージをデコーディングし続けて次のtrace  activation  インフォメーションエレメントを獲得し、それが最後のtrace  activation  インフォメーションエレメントであるか否かを判断し続けることを含むことが好ましい。本実施例は既存のeNodeBに対する変更が少なく、容易に実現できる。複数の追跡タスクが同時に一つの指定ユーザを追跡する場合に、本実施例はLTE既存のメッセージインタラクションプロセスによって複数のシグナル追跡タスクを同時に処理することができる。
【００２９】
MMEは、メッセージをS1インタフェースの一番目のダウンリンクメッセージとしてeNodeBに送信し、或は、eNodeB間のハンドオーバーが発生する時に、メッセージをハンドオーバーメッセージとしてeNodeBに送信することが好ましい。
【００３０】
例えば、同じ指定ユーザを追跡する複数の追跡タスクが開始された後、MMEは、S1インタフェースの一番目のダウンリンクメッセージを介して新しいtrace  activation  インフォメーションエレメントを載せて、複数の追跡タスクのパラメータをeNodeBに送信する。ここで、新しいtrace  activation  インフォメーションエレメントは、現在のプロトコルでのtrace  activation  インフォメーションエレメントの既存のフィールドと、現在の追跡タスクが最後の追跡タスクであるか否かを示す識別子IsLastRecordとを含む。
【００３１】
或は、S1に基いてeNodeB間のハンドオーバーが発生される時、eNodeB_Aは、ハンドオーバーメッセージをMMEに送信して、MMEは、ハンドオーバーメッセージをeNodeB_Bに送信する。中には、MMEがeNodeB_Bに送信したハンドオーバー請求メッセージにはtrace  activation  インフォメーションエレメントが載せられている。
【００３２】
X2に基いてeNodeB間のハンドオーバーが発生される時、eNodeB_Aは、ハンドオーバーメッセージを直接にeNodeB_Bに送信すると共に、trace  activation  インフォメーションエレメントを載せる。該eNodeBは、メッセージに対してデコーディングした後、IsLastRecordフィールドに基いて現在の追跡タスクが最後のタスクであるか否かを判断する。もし、現在の追跡タスクの後にさらに追跡タスクがあると、デコーディングし続ける。そうでない場合、該部分のデコーディングを停止する。最後に、eNodeBはデコーディングの結果に基いて相応な追跡タスクを作成し、追跡の結果をそれぞれ報告する。
【００３３】
図２は、本発明の実施例に係わるE-UTRANシステムのブロック図であり、
同じユーザを追跡するための複数のタスクのパラメータを載せる一つのメッセージを作成する作成ブロック１２と、
メッセージをeNodeB２０に送信する送信ブロック１４と、
ユーザを追跡するようにパラメータに基いて複数のタスクを作成するeNodeB２０と、を含む。
【００３４】
本実施例のE-UTRANシステムは、一つのメッセージに同じユーザを追跡するための複数のタスクのパラメータを載せる。従って、複数のタスクが同時に一つの指定ユーザを追跡することができないという既存技術における問題を解決でき、更に複数のタスクが同時に一つの指定ユーザを追跡することを保証する。
【００３５】
作成ブロックは、メッセージにtrace  activation  list  インフォメーションエレメントを設置することに用いられ、中には、trace  activation  list  インフォメーションエレメントは、個数を指示するtrace  activation  インフォメーションエレメント個数フィールドと、前記個数の複数のtrace  activation  インフォメーションエレメントとを含み、各trace  activation  インフォメーションエレメントは、複数のタスクにおける一つのタスクのパラメータを載せることが好ましい。本実施例は容易に実現できる。
【００３６】
eNodeBは、メッセージを受信する受信ブロックと、メッセージをデコーディングしてtrace  activation  インフォメーションエレメント個数フィールドを獲得し、またtrace  activation  インフォメーションエレメント個数フィールドから複数のtrace  activation  インフォメーションエレメントの個数を確定する第１のデコーディングブロックと、メッセージをデコーディングして前記個数の複数のtrace  activation  インフォメーションエレメントを獲得する第２のデコーディングブロックと、それぞれ、複数のtrace  activation  インフォメーションエレメントにおけるパラメータに基いて複数のタスクを作成するタスク作成ブロックと、ユーザを追跡するように複数のタスクを実行する実行ブロックとを含むことが好ましい。本実施例は容易に実現できる。
【００３７】
作成ブロックは、メッセージに複数のtrace  activation  インフォメーションエレメントを設置することに用いられ、中には、各trace  activation  インフォメーションエレメントは、複数のタスクにおける一つのタスクのパラメータと、IsLastRecordフィールドとを含み、IsLastRecordフィールドは、IsLastRecordフィールドを載せているtrace  activation  インフォメーションエレメントがメッセージにおける最後のtrace  activation  インフォメーションエレメントであるか否かを指示することが好ましい。本実施例は容易に実現できる。
【００３８】
eNodeBは、メッセージを受信する受信ブロックと、メッセージをデコーディングして複数のtrace  activation  インフォメーションエレメントを獲得するデコーディングブロックと、それぞれ、複数のtrace  activation  インフォメーションエレメントにおけるパラメータに基いて複数のタスクを作成するタスク作成ブロックと、ユーザを追跡するように複数のタスクを実行する実行ブロックとを含くことが好ましい。中には、メッセージをデコーディングして現在のtrace  activation  インフォメーションエレメントを獲得する時、現在のtrace  activation  インフォメーションエレメントにおけるIsLastRecordフィールドに基いて現在のtrace  activation  インフォメーションエレメントがメッセージにおける最後のtrace  activation  インフォメーションエレメントであるか否かを判断し、最後のtrace  activation  インフォメーションエレメントでないと判断すると、メッセージをデコーディングして最後のtrace  activation  インフォメーションエレメントを獲得するまで、メッセージをデコーディングし続けて次のtrace  activation  インフォメーションエレメントを獲得し、最後のtrace  activation  インフォメーションエレメントであるか否かを判断し続ける。本実施例は容易に実現できる。
【００３９】
作成ブロックと送信ブロックは一つのMMEに存在することができ、MMEは、メッセージをS1インタフェースの一番目のダウンリンクメッセージとしてeNodeBに送信し、又は、作成ブロックと送信ブロックはもう一つのeNodeBに存在することができ、eNodeB間のハンドオーバーが発生する時、もう一つのeNodeBによりX2インタフェースを介して該メッセージを該eNodeBに送信することが好ましい。本実施例は容易に実現でき、さまざまな異なる状況に適応することができる。
【００４０】
上記の説明からわかるように、本発明は、複数の追跡タスクが同時に一つの指定ユーザを追跡する時、複数の追跡タスクを一つのS1メッセージに載せさせて該ユーザの実例プロセスに送信することができる。同時に、X2ハンドオーバー過程で、該ユーザのソースセルでの実例プロセスにおいてもハンドオーバー請求メッセージに複数の追跡タスクを載せさせてターゲットセルに提供することができて、ターゲットセルが相応な追跡タスクを正確に作成するようにする。
【００４１】
当業者にとって、上述の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、ある状況では、ここで説明した順序と異なる順序で、示された或は説明されたステップを実行することができ、或いは、それらを夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００４２】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013531441.tif 000007
【図２】
2013531441.tif 000008
【国際調査報告】
2013531441.tif 000009
2013531441.tif 000010
2013531441.tif 000011
2013531441.tif 000012